(57)【特許請求の範囲】
【請求項１】
モータの回転を複数の駆動列を介して、ブラック画像形成ユニットとマゼンタ、シアン及びイエローの複数のカラー画像形成ユニットに伝達して各ユニットを回転駆動するフルカラー画像形成装置の駆動伝達装置において、
複数の前記駆動列を２つに分け、
前記ブラック画像形成ユニットのみを駆動する第１の駆動列には、前記モータの正逆転によって２つの被動ギヤの何れか一方に選択的に噛合する回転移動ギヤを設け、
前記カラー画像形成ユニットを駆動する第２の駆動列には、前記モータの正逆転によってＯＮ／ＯＦＦして該モータの回転を選択的に伝達することによって前記カラー画像形成ユニットを選択的に駆動するワンウェイクラッチを設け、
前記モータの正逆転によって前記ブラック画像形成ユニットと前記カラー画像形成ユニットの全てを駆動するカラーモードと前記ブラック画像形成ユニットのみを駆動するモノクロモードに切り替え可能としたことを特徴とする駆動伝達装置。
【請求項２】
前記回転移動ギヤは、これに噛合するギヤの回転軸を中心として回転可能に支持され、両ギヤの噛合による負荷トルクによって回動して前記被動ギヤの何れか一方に選択的に噛合することを特徴とする請求項１記載の駆動伝達装置。
【請求項３】
前記回転移動ギヤが前記被動ギヤの何れに噛合しても、前記第１の駆動列によって駆動されるブラック画像形成ユニットが同一方向に回転するよう構成したことを特徴とする請求項１又は２記載の駆動伝達装置。
【請求項４】
前記被動ギヤの一方にアイドルギヤを噛合させたことを特徴とする請求項３記載の駆動伝達装置。
【請求項５】
複数の画像形成ユニットを備えたフルカラー画像形成装置において、
請求項１〜４の何れかに記載の駆動伝達装置を設けたことを特徴とするフルカラー画像形成装置。
【発明の詳細な説明】
【技術分野】
【０００１】
本発明は、モータの回転を複数の駆動列を介して複数のユニットに伝達して各ユニットを回転駆動する駆動伝達装置とこれを備えたフルカラー画像形成装置に関するものである、
【背景技術】
【０００２】
例えば、電子写真方式によって用紙にフルカラー画像を形成するカラー複写機やカラープリンタ等のカラー画像形成装置には、マゼンタ、シアン、イエロー及びブラックの４つの画像形成ユニットをタンデムに配置し、各画像形成ユニットにおいて形成された各色のトナー像を中間転写ベルト上に重畳転写してフルカラートナー像を形成し、このフルカラートナー像を用紙上に一括転写する方式を採用するものがある。
【０００３】
斯かるカラー画像形成装置においては、４色のトナーを用いてフルカラー画像を形成するカラーモード以外に、ブラックのトナーのみを用いてモノクロ画像を形成するモノクロモードも選択可能であって、モノクロモードが選択された場合にはブラック以外のマゼンタ、シアン及びイエローのカラートナー像の形成に供される各ユニットを停止させることが行われている。例えば、各色の画像形成ユニットの現像装置にトナーをそれぞれ補給する４つのトナーコンテナにおいては、カラーモード時には４つのトナーコンテナの全てが駆動され、モノクロモード時にはブラックのトナーコンテナのみが駆動され、他のマゼンタ、シアン及びイエローのトナーコンテナの駆動は停止される。
【０００４】
ところで、上述のようにカラーモード時には４つのユニットの全てを駆動し、モノクロモード時にはブラックのユニットのみを駆動する方式を採用するカラー画像形成装置においては、カラーモードとモノクロモードに応じてユニットの駆動を切り替える方法として、４つのユニット毎にモータを配置し、各モータをＯＮ／ＯＦＦ制御することによってユニットの駆動を切り替えたり、電磁クラッチやソレノイドのＯＮ／ＯＦＦ制御によってユニットの駆動を切り替える方式が採用されていた（例えば、特許文献１参照）。
【発明の開示】
【発明が解決しようとする課題】
【０００５】
しかしながら、上記従来の方式では、モータを複数使用するためにコストアップを招き、又、電磁クラッチやソレノイドを使用すると、これらの発熱のために長時間の通電ができない他、動作音が騒音となる等の問題が発生する。
【０００６】
本発明は上記問題に鑑みてなされたもので、その目的とする処は、単一のモータを用いて複数のユニットを駆動することができるとともに、簡単な構成でユニットの駆動を切り替えることができる駆動伝達装置とこれを備えたフルカラー画像形成装置を提供することにある。
【課題を解決するための手段】
【０００７】
上記目的を達成するため、請求項１記載の発明は、  モータの回転を複数の駆動列を介して、ブラック画像形成ユニットとマゼンタ、シアン及びイエローの複数のカラー画像形成ユニットに伝達して各ユニットを回転駆動するフルカラー画像形成装置の駆動伝達装置において、
複数の前記駆動列を２つに分け、
前記ブラック画像形成ユニットのみを駆動する第１の駆動列には、前記モータの正逆転によって２つの被動ギヤの何れか一方に選択的に噛合する回転移動ギヤを設け、
前記カラー画像形成ユニットを駆動する第２の駆動列には、前記モータの正逆転によってＯＮ／ＯＦＦして該モータの回転を選択的に伝達することによって前記カラー画像形成ユニットを選択的に駆動するワンウェイクラッチを設け、
前記モータの正逆転によって前記ブラック画像形成ユニットと前記カラー画像形成ユニットの全てを駆動するカラーモードと前記ブラック画像形成ユニットのみを駆動するモノクロモードに切り替え可能としたことを特徴とする。
【０００８】
請求項２記載の発明は、請求項１記載の発明において、前記回転移動ギヤは、これに噛合するギヤの回転軸を中心として回動可能に支持され、両ギヤの噛合による負荷トルクによって回動して前記被動ギヤの何れか一方に選択的に噛合することを特徴とする。
【０００９】
請求項３記載の発明は，請求項１又は２記載の発明において、前記回転移動ギヤが前記被動ギヤの何れに噛合しても、前記第１の駆動列によって駆動されるブラック画像形成ユニットが同一方向に回転するよう構成したことを特徴する。
【００１０】
請求項４記載の発明は、請求項３記載の発明において、前記被動ギヤの一方にアイドルギヤを噛合させたことを特徴とする。
【００１１】
請求項５記載のフルカラー画像形成装置は、複数の画像形成ユニットを備え、請求項１〜４の何れかに記載の駆動伝達装置を設けたことを特徴とする。
【発明の効果】
【００１２】
請求項１記載の発明によれば、モータの正逆転によっても第１の駆動列は常にブラック画像形成ユニットに回転を伝達して該ブラック画像形成ユニットを常時駆動する一方、第２の駆動列にはワンウェイクラッチが設けられているため、該第２の駆動列はモータの正逆転によってカラー画像形成ユニットを選択的に駆動する。従って、単一のモータによって全画像形成ユニットを駆動することができるとともに、モータの正逆転によって駆動モードを全画像形成ユニットを駆動するカラーモードとブラック画像形成ユニットのみを駆動するモノクロモードに切り替えることができ、構造の単純化とこれに伴うコストダウンが図られる他、連続運転や低騒音化が可能となる。
【００１３】
請求項２記載の発明によれば、回転移動ギヤは、モータが正逆転しても、これに噛合するギヤの回転軸を中心として回動して２つの被動ギヤの何れか一方に選択的に噛合するため、第１の駆動列によって一部のユニットを常時駆動することができる。
【００１４】
請求項３記載の発明によれば、モータの正逆転によって画像形成ユニットの駆動が切り替えられても、つまり、カラーモードとモノクロモードの何れの駆動モードが選択されても、第１の駆動列によって駆動されるブラック画像形成ユニットを同一方向に回転駆動することができる。即ち、全画像形成ユニットを駆動するカラーモードが選択された場合には、全画像形成ユニットが同一方向に回転駆動され、ブラック画像形成ユニットのみを駆動するモノクロモードが選択された場合には、そのブラック画像形成ユニットガ同一方向（全画像形成ユニットが駆動されるカラーモード時と同一方向）に回転駆動され、駆動モード（カラーモード又はモノクロモード）の選択によってブラック画像形成ユニットの蛇移転方向が逆転することがない。
【００１５】
請求項４記載の発明によれば、被動ギヤの一方にアイドルギヤを噛合させるという簡単な構成でユニットを同一方向に回転駆動することができる。
【００１６】
請求項５記載の発明によれば、フルカラー画像形成装置において、単一のモータを用いて複数の画像形成ユニットを駆動してフルカラー画像を形成することができるとともに、ブラック画像を形成する場合にはブラック画像形成ユニットのみを駆動することができ、簡単な構成で画像形成ユニットの駆動を切り替えることができるため、フルカラー画像形成装置の部品点数の削減とコストダウン、連続運転、低騒音化等を実現することができる。
【発明を実施するための最良の形態】
【００１７】
以下に本発明の実施の形態を添付図面に基づいて説明する。
【００１８】
［フルカラー画像形成装置］
図１は本発明に係るフルカラー画像形成装置の一形態としてのカラーレーザープリンタの断面図であり、図示のカラーレーザープリンタはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００１９】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電ローラ３ａ，３ｂ，３ｃ，３ｄ、現像装置４ａ，４ｂ，４ｃ，４ｄ、転写ローラ５ａ，５ｂ，５ｃ，５ｄ及びドラムクリーニング装置６ａ，６ｂ，６ｃ，６ｄがそれぞれ配置されている。
【００２０】
ここで、前記感光ドラム２ａ〜２ｄは、ドラム状の感光体であって、不図示のモータによって図示矢印方向（時計方向）に所定のプロセススピードで回転駆動される。又、前記帯電ローラ３ａ〜３ｄは、不図示の帯電バイアス電源から印加される帯電バイアスによって感光ドラム２ａ〜２ｄの表面を所定の電位に均一に帯電させるものである。
【００２１】
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２２】
又、前記転写ローラ５ａ〜５ｄは、各一次転写部にて中間転写ベルト７を介して各感光ドラム２ａ〜２ｄに当接可能に配置されている。ここで、中間転写ベルト７は、二次転写対向ローラ８とテンションローラ９との間に張設されて各感光ドラム２ａ〜２ｄの上面側に走行可能に配置されており、前記二次転写対向ローラ８は、二次転写部において中間転写ベルト７を介して二次転写ローラ１０に当接可能に配置されている。又、テンションローラ９の近傍にはベルトクリーニング装置１１が設けられている。
【００２３】
ところで、装置本体１００内の各画像形成ユニット１Ｍ，１Ｃ，１Ｙ，１Ｋの上方には、前記各現像装置４ａ〜４ｄにトナーを補給するためのトナーコンテナ１２ａ，１２ｂ，１２ｃ，１２ｄが一列に並設されている。尚、図示しないが、各トナーコンテナ１２ａ〜１２ｄの内部には、トナーを撹拌するための撹拌部材（パドル）とトナーを各現像装置４ａ〜４ｄに補給するための搬送スクリューが設けられており、これらの撹拌部材と搬送スクリューは、後述の駆動伝達装置によって選択的に回転駆動される。
【００２４】
又、装置本体１００内の各画像形成ユニット１Ｍ，１Ｃ，１Ｙ，１Ｋの下方にはレーザースキャナユニット（ＬＳＵ）１３が配置され、その下方の本体１００の底部には給紙カセット１４が着脱可能に設置されている。そして、給紙カセット１４には複数枚の不図示の用紙が積層収容されており、この給紙カセット１４の近傍には、給紙カセット１４から用紙を１枚ずつ取り出すピックアップローラ１５と、取り出された用紙を搬送パスＬへと送り出すフィードローラ１６とリタードローラ１７が設けられている。
【００２５】
又、装置本体１００の側部を上下方向に延びる前記搬送パスＬには、用紙を搬送する搬送ローラ対１８と、用紙を一時待機させた後に所定のタイミングで前記二次転写対向ローラ８と二次転写ローラ１０との当接部である二次転写部へと供給するレジストローラ対１９が設けられている。尚、搬送パスＬの横には、用紙の両面に画像を形成する場合に使用される別の搬送パスＬ’が形成されており、この搬送パスＬ’には複数の搬送ローラ対２０が適当な間隔で設けられている。
【００２６】
ところで、装置本体１００内の一側部に縦方向に配置された前記搬送パスＬは、装置本体１００の上面に設けられた排紙トレイ２１まで延びており、その途中には定着装置２２と排紙ローラ対２３が設けられている。
【００２７】
次に、以上の構成を有するカラーレーザープリンタによる画像形成動作を図１に基づいて説明する。
【００２８】
画像形成開始信号が発せられると、各画像形成ユニット１Ｍ，１Ｃ，１Ｙ，１Ｋにおいて各感光ドラム２ａ〜２ｄが図１の矢印方向（時計方向）に所定のプロセススピードで回転駆動され、これらの感光ドラム２ａ〜２ｄは、帯電ローラ３ａ〜３ｄによって一様に帯電される。又、レーザースキャナユニット１３は、各色毎のカラー画像信号によって変調されたレーザー光を出射し、そのレーザー光を各感光ドラム２ａ〜２ｄの表面に照射し、各感光ドラム２ａ〜２ｄ上に各色のカラー画像信号に対応した静電潜像をそれぞれ形成する。
【００２９】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の一次転写部（転写ニップ部）において、トナーと逆極性の一次転写バイアスが印加された転写ローラ５ａの作用によって、図１の矢印方向に回転駆動されている中間転写ベルト７上に一次転写される。
【００３０】
上述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００３１】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各ドラムクリーニング装置６ａ〜６ｄによって除去され、各感光ドラム２ａ〜２ｄは次の画像形成に備えられる。
【００３２】
そして、中間転写ベルト７上のフルカラートナー像の先端が二次転写対向ローラ８と二次転写ローラ１０間の二次転写部（転写ニップ部）に達するタイミングに合わせて、給紙カセット１４からピックアップローラ１５とフィードローラ１６及びリタードローラ１７によって搬送パスＬへと送り出された用紙がレジストローラ対１９によって二次転写部へと搬送される。そして、二次転写部に搬送された用紙に、トナーと逆極性の二次転写バイアスが印加された二次転写ローラ１０によってフルカラーのトナー像が中間転写ベルト７から一括して二次転写される。
【００３３】
而して、フルカラーのトナー像が転写された用紙は、定着装置２２へと搬送され、フルカラーのトナー像が加熱及び加圧されて用紙の表面に熱定着され、トナー像が定着された用紙は、排紙ローラ対２３によって排紙トレイ２１上に排出されて一連の画像形成動作が完了する。尚、用紙上に転写されないで中間転写ベルト７上に残留する転写残トナーは、前記ベルトクリーニング装置１１によって除去され、中間転写ベルト７は次の画像形成に備えられる。
【００３４】
［駆動伝達装置］
次に、本発明に係る駆動伝達装置を図２〜図６に基づいて説明する。
【００３５】
図２は本発明に係る駆動伝達装置の正面図、図３は同駆動伝達装置のカラーモード時の動作を示す正面図、図４は同駆動伝達装置のモノクロモード時の動作を示す正面図、図５は図３の矢視Ａ方向の図、図６は回転移動ギヤの斜視図である。
【００３６】
本実施の形態に係る駆動伝達装置は、図１に示す４つの前記トナーコンテナ１２ａ〜１２ｄを駆動するためのものであって、図２に示すように、ハウジング２４には駆動源であるモータ２５と、各トナーコンテナ１２ａ〜１２ｄに内蔵された不図示の攪拌部材（パドル）に連結される駆動軸２６ａ，２６ｂ，２６ｃ，２６ｄと、モータ２５の回転を各駆動軸２６ａ〜２６ｄに伝達して該駆動軸２６ａ〜２６ｄ及び各トナーコンテナ１２ａ〜１２ｄの攪拌部材を回転駆動するための複数の駆動列が設けられている。ここで、駆動列は、ブラックトナーを収容したトナーコンテナ１２ｄを駆動するための第１の駆動列Ｇ１とマゼンタ、シアン及びイエローの各カラートナーを収容した３つのトナーコンテナ１２ａ〜１２ｃを駆動するための第２の駆動列Ｇ２に分けられている。以下、これらの駆動列Ｇ１，Ｇ２の構成の詳細を図３〜図６に従って説明する。
【００３７】
図５に示すように、前記モータ２５の出力軸端には小径のピニオンギヤＧｐが結着されており、このピニオンギヤＧｐには第１の駆動列Ｇ１のギヤＧ１１と第２の駆動列Ｇ２のギヤＧ２１が噛合している。
【００３８】
ここで、第１の駆動列Ｇ１は、前記ギヤＧ１１の他、該ギヤＧ１１の回転軸２７を中心として回動して２つの被動ギヤ（段ギヤ）Ｇ１３，Ｇ１３’の何れか一方に選択的に噛合する回転移動ギヤＧ１２と、前記被動ギヤＧ１３，Ｇ１３’と、被動ギヤＧ１３に順次噛合するギヤＧ１４，Ｇ１５，Ｇｄと、被動ギヤＧ１３’とギヤＧ１４間に配されて両ギヤＧ１３’，Ｇ１４に噛合するアイドルギヤＧ１６と、ギヤＧｄの回転軸３０ｄに結着された不図示のプーリと駆動軸２６ｄに結着されたプーリ２８ｄとの間に巻装された無端状の駆動ベルト２９ｄを備えている。
【００３９】
ところで、上記回転移動ギヤＧ１２は、図６に示すように、ギヤＧ１１の回転軸２７を中心として揺動するホルダ３１の先端部に回転可能に支持されるとともに、これとホルダ３１間に縮装された押圧バネ３２によってホルダ３１の内壁に押圧されている。尚、本実施の形態では、互いに噛合するギヤＧ１１と回転移動ギヤＧ１２ははす歯歯車で構成されている。
【００４０】
他方、第２の駆動列Ｇ２は、前記ギヤＧ２１の他、該ギヤＧ２１に順次噛合するギヤＧ２２，Ｇ２３，Ｇ２４，Ｇｃ，Ｇｂ，Ｇ２５，Ｇａと、各ギヤＧａ〜Ｇｃの回転軸３０ａ〜３０ｃに結着された不図示のプーリと各駆動軸２６ａ〜２６ｃに結着されたプーリ２８ａ〜２８ｃとの間にそれぞれ巻装された無端状の駆動ベルト２９ａ〜２９ｃを備えている。ここで、図５に詳細に示すように、ギヤＧ２３とギヤＧ２４は同一の軸３３上に配置されており、ギヤＧ２３にはワンウェイクラッチ３４が設けられている。尚、ワンウェイクラッチ３４は、モータ２５の正転時にはＯＮして該モータ２５の回転をギヤＧ２３よりも後段のギヤＧ２４，Ｇｃ，Ｇｂ，Ｇ２５，Ｇａに伝達し、モータ２５の逆転時にはＯＦＦして該モータ２５の回転をギヤＧ２３よりも後段のギヤＧ２４，Ｇｃ，Ｇｂ，Ｇ２５，Ｇａに伝達しない機能を果たすものである。
【００４１】
次に、以上のように構成された駆動伝達装置のカラーモード時とモノクロモード時の動作を図３及び図４に基づいてそれぞれ説明する。
【００４２】
フルカラー画像を形成するためにカラーモードが選択された場合には、図３に示すように、モータ２５が正転されてピニオンギヤＧｐが図示矢印方向（時計方向）に回転する。すると、第１の駆動列Ｇ１においては、ピニオンギヤＧｐに噛合するギヤＧ１１とこれに噛合する回転移動ギヤＧ１２がそれぞれ矢印方向に回転し、これらのギヤＧ１１と回転移動ギヤＧ１２との噛合による負荷トルクによってホルダ３１とこれに支持された回転移動ギヤＧ１２がギヤＧ１１の回転軸２７を中心として矢印方向（反時計方向）に回動し、回転移動ギヤＧ１２は図示のように一方の被動ギヤＧ１３に噛合する。
【００４３】
従って、第１の駆動列Ｇ１においては、回転移動ギヤＧ１２の回転は、ギヤＧ１３，Ｇ１４，Ｇ１５を順次経てギヤＧｄに伝達され、該ギヤＧｄがモータ２５の回転と同方向（正転方向）に回転駆動される。そして、ギヤＧｄの回転は、該ギヤＧｄの回転軸３０ｄに結着された不図示のプーリと駆動ベルト２９ｄ及びプーリ２８ｄを経て駆動軸２６ｄに伝達され、該駆動軸２６ｄによってブラックのトナーコンテナ１２ｄ（図１参照）に内蔵された不図示の攪拌部材（パドル）がモータ２５の回転と同方向（時計方向）に回転駆動される。
【００４４】
又、第２の駆動列Ｇ２においては、モータ２５の正転時には前述のようにワンウェイクラッチ３４がＯＮするため、モータ２５の回転は、ピニオンギヤＧｐからギヤＧ２１，Ｇ２２，Ｇ２３，Ｇ２４を経てギヤＧｃに伝達されると同時に、ギヤＧ２４からギヤＧｂに伝達され、更にギヤＧｂからギヤＧ２５を経てギヤＧａに伝達され、３つのギヤＧａ，Ｇｂ，Ｇｃが同時に同方向（時計方向）に回転駆動される。このように３つのギヤＧａ，Ｇｂ，Ｇｃが同時に同方向に回転駆動されると、これらのギヤＧａ〜Ｇｃの回転軸３０ａ〜３０ｃにそれぞれ結着された不図示のプーリと各駆動軸２６ａ〜２６ｃに結着されたプーリ２８ａ〜２８ｃ及び各駆動ベルト２９ａ〜２９ｃを経て各駆動軸２６ａ〜２６ｃに回転が伝達され、各駆動軸２６ａ〜２６ｃによってマゼンタ、シアン及びイエローの各トナーコンテナ１２ａ〜１２ｃ（図１参照）に内蔵された不図示の攪拌部材（パドル）がモータ２５の回転と同方向（時計方向）にそれぞれ回転駆動される。
【００４５】
以上のように、カラーモード時にモータ２５が正転されると、その回転は第１及び第２の駆動列Ｇ１，Ｇ２によって全ての駆動軸２６ａ〜２６ｄに伝達され、該駆動軸２６ａ〜２６ｄによって全てのトナーコンテナ１２ａ〜１２ｄに内蔵された攪拌部材が同方向（図３の時計方向）に回転駆動される。
【００４６】
他方、モノクロ画像を形成するためにモノクロモードが選択された場合には、図４に示すように、モータ２５が逆転されてピニオンギヤＧｐが図示矢印方向（反時計方向）に回転する。すると、第１の駆動列Ｇ１においては、ピニオンギヤＧｐに噛合するギヤＧ１１とこれに噛合する回転移動ギヤＧ１２がそれぞれ矢印方向に回転し、これらのギヤＧ１１と回転移動ギヤＧ１２との噛合による負荷トルクによってホルダ３１とこれに支持された回転移動ギヤＧ１２がギヤＧ１１の回転軸２７を中心として矢印方向（時計方向）に回動し、回転移動ギヤＧ１２は図示のように他方の被動ギヤＧ１３’に噛合する。
【００４７】
従って、第１の駆動列Ｇ１においては、回転移動ギヤＧ１２の回転は、被動ギヤＧ１３’、アイドルギヤＧ１６及びギヤＧ１４〜Ｇ１６を順次経てギヤＧｄに伝達され、該ギヤＧｄがモータ２５の回転と逆方向（時計方向）に回転駆動される。そして、ギヤＧｄの回転は、該ギヤＧｄの回転軸３０ｄに結着された不図示のプーリと駆動ベルト２９ｄ及びプーリ２８ｄを経て駆動軸２６ｄに伝達され、該駆動軸２６ｄによってブラックのトナーコンテナ１２ｄ（図１参照）に内蔵された不図示の攪拌部材（パドル）がモータ２５の回転と逆方向（時計方向）に回転駆動される。本実施の形態では、被動ギヤＧ１３’とギヤＧ１４との間にアイドルギヤＧ１６を介在させたため、モータ２５を逆転させても駆動軸２６ｄの回転方向はカラーモード時のそれと同じとなり、トナーコンテナ１２ｄに内蔵された攪拌微罪が逆転することがない。
【００４８】
又、第２の駆動列Ｇ２においては、モータ２５の逆転時には前述のようにワンウェイクラッチ３４はＯＦＦするため、モータ２５の回転は、ピニオンギヤＧｐからギヤＧ２１，Ｇ２２を経てギヤＧ２３に伝達され、該ギヤＧ２３は軸３３上で自由回転するだけで、回転をそれ以降のギヤＧ２４，Ｇｃ，Ｇｂ，Ｇ２５，Ｇａに伝達しない。従って、第２の駆動列Ｇ２においては、モータ２５の回転は各駆動軸２６ａ〜２６ｃには伝達されず、該駆動軸２６ａ〜２６ｃ及びマゼンタ、シアン及びイエローのトナーコンテナ１２ａ〜１２ｃに内蔵された攪拌部材は駆動されないで停止している。
【００４９】
以上のように、モノクロモード時にモータ２５が逆転されると、その回転は第１の駆動列Ｇ１によって駆動軸２６ｄに伝達されてブラックのトナーコンテナ１２ｄに内蔵された攪拌部材のみが回転駆動され、他の３つの駆動軸２６ａ〜２６ｃにはモータ２５の回転が伝達されないため、マゼンタ、シアン及びブラックの各トナーコンテナ１２ａ〜１２ｃに内蔵された攪拌部材は駆動されない。
【００５０】
而して、本実施の形態に係る駆動伝達装置によれば、モータ２５の正逆転によっても第１の駆動列Ｇ１は常にブラックのトナーコンテナ１２ｄに回転を伝達して該トナーコンテナ１２ｄを常時駆動する一方、第２の駆動列Ｇ２にはワンウェイクラッチ３４が設けられているため、該第２の駆動列Ｇ２はモータ２５の正逆転によってマゼンタ、シアン及びイエローのトナーコンテナ１２ａ〜１２ｃを選択的に駆動する。具体的には、カラーモード時にモータ２５が正転されたときのみマゼンタ、シアン及びイエローのトナーコンテナ１２ａ〜１２ｃを駆動する。
【００５１】
従って、本実施の形態に係る駆動伝達装置によれば、カラーモード時には単一のモータ２５によって全てのトナーコンテナ１２ａ〜１２ｄを駆動することができるとともに、モノクロモード時にはモータ２５を逆転させることにブラックのトナーコンテナ１２ｄのみを駆動することができる。即ち、モータ２５を正逆転させることによって全てのトナーコンテナ１２ａ〜１２ｄを駆動するカラーモードとブラックのトナーコンテナ１２ｄのみを駆動するモノクロモードに切り替えることができるため、駆動伝達装置の構造の単純化とこれに伴うコストダウンが図られる他、連続運転や低騒音化が可能となる。
【００５２】
又、本実施の形態では、被動ギヤＧ１３’とギヤＧ１４との間にアイドルギヤＧ１６を介在させるという簡単な構成によって、モータ２５が正逆転されてトナーコンテナ１２ａ〜１２ｄの駆動モードが切り替えられても、つまり、カラーモード又はモノクロモードの何れが選択されても、第１の駆動列Ｇ１によって駆動されるブラックのトナーコンテナ１２ｄを同一方向に回転駆動することができる。即ち、全てのトナーコンテナ１２ａ〜１２ｄを駆動するカラーモードが選択された場合には、全てのトナーコンテナ１２ａ〜１２ｄの攪拌部材が同一方向に回転駆動され、ブラックのトナーコンテナ１２ｄのみを駆動するモノクロモードが選択された場合には、ブラックのトナーコンテナ１２ｄの攪拌部材が同一方向（カラーモード時に全てのトナーコンテナ１２ａ〜１２ｄが駆動されるときと同一方向）に回転駆動され、モードの選択によってブラックのトナーコンテナ１２ｄに内蔵された攪拌部材の回転方向が逆転することがない。
【００５３】
尚、以上はトナーコンテナの攪拌部材を回転駆動する駆動伝達装置について説明したが、本発明は、他の任意のユニットを回転駆動する駆動伝達装置に対しても同様に適用可能であることは勿論である。
【図面の簡単な説明】
【００５４】
【図１】本発明に係るフルカラー画像形成装置（カラーレーザープリンタ）の断面図である。
【図２】本発明に係る駆動伝達装置の正面図である。
【図３】本発明に係る駆動伝達装置のカラーモード時の動作を示す正面図である。
【図４】本発明に係る駆動伝達装置のモノクロモード時の動作を示す正面図である。
【図５】図３の矢視Ａ方向の図である。
【図６】本発明に係る駆動伝達装置に用いられる回転移動ギヤの斜視図である。
【符号の説明】
【００５５】
１Ｍ              マゼンタ画像形成ユニット
１Ｃ              シアン画像形成ユニット
１Ｙ              イエロー画像形成ユニット
１Ｋ              ブラック画像形成ユニット
２ａ〜２ｄ        感光ドラム
３ａ〜３ｄ        帯電ローラ
４ａ〜４ｄ        現像装置
５ａ〜５ｄ        転写ローラ
６ａ〜６ｄ        ドラムクリーニング装置
７                中間転写ベルト
８                二次転写対向ローラ
９                テンションローラ
１０              二次転写ローラ
１１              ベルトクリーニング装置
１２ａ〜１２ｄ    トナーコンテナ（ユニット）
１３              レーザースキャナユニット（ＬＳＵ）
１４              給紙カセット
１５              ピックアップローラ
１６              フィードローラ
１７              リタードローラ
１８              搬送ローラ対
１９              レジストローラ対
２０              搬送ローラ対
２１              排紙トレイ
２２              定着装置
２３              排紙ローラ対
２４              駆動伝達装置のハウジング
２５              モータ
２６ａ〜２６ｄ    駆動軸
２７              回転軸
２８ａ〜２８ｄ    プーリ
２９ａ〜２９ｄ    駆動ベルト
３０ａ〜３０ｄ    回転軸
３１              ホルダ
３２              押圧バネ
３３              軸
３４              ワンウェイクラッチ
Ｇ１              第１の駆動列
Ｇ１１            ギヤ
Ｇ１２            回転移動ギヤ
Ｇ１３，Ｇ１３’  被動ギヤ
Ｇ１４，Ｇ１５    ギヤ
Ｇ１６            アイドルギヤ
Ｇ２              第２の駆動列
Ｇ２１〜Ｇ２６    ギヤ
Ｇａ〜Ｇｄ        ギヤ
Ｇｐ              ピニオンギヤ
１００            画像形成装置本体
Ｌ，Ｌ’          搬送パス
【図１】
0005175618.tif 000002
【図２】
0005175618.tif 000003
【図３】
0005175618.tif 000004
【図４】
0005175618.tif 000005
【図５】
0005175618.tif 000006
【図６】
0005175618.tif 000007